(57)【要約】蓄電池システム中の複数の単電池の各々が使用可能であるか否かを識別するために、複数の二次電池パックと、前記複数の二次電池パックの各々に取り付けられ、前記各二次電池パックに関する電池情報を格納する情報格納部と、前記情報格納部に格納された前記電池情報に基づいて、蓄電池システムへの搭載が可能であるか否かを判断する監視装置とを具備する。
2010007681.tif 000002
【特許請求の範囲】
【請求項１】
複数の二次電池パックと、
前記複数の二次電池パックの各々に取り付けられ、前記各二次電池パックに関する電池情報を格納する情報格納部と、
前記電池情報に基づいて、前記各二次電池パックが蓄電池システムに搭載可能であるか否かを判断する監視装置と、
を具備する
蓄電池システム。
【請求項２】
請求の範囲１に記載された蓄電池システムであって、
前記監視装置は、前記複数の二次電池パックの組み合わせが適正であるか否かを判断することにより、搭載が可能であるか否かを判断する
蓄電池システム。
【請求項３】
請求の範囲１又は２に記載された蓄電池システムであって、
更に、
搭載可能な二次電池パックの仕様範囲を示すシステム規格情報を記憶する記憶部
を具備し、
前記情報格納部には、前記電池情報として、前記各二次電池パックの仕様を示す仕様情報が格納されており、
前記監視装置は、前記複数の二次電池パックの仕様情報を前記システム規格情報と比較することにより、搭載が可能であるか否かを判断する
蓄電池システム。
【請求項４】
請求の範囲３に記載された蓄電池システムであって、
前記仕様情報は、適正な充電電圧範囲、適正な放電電圧範囲、適正な充電電流範囲、適正な放電電流範囲、容量範囲、入出力範囲、温度範囲、及び抵抗値の範囲のうちの少なくとも一つの情報を含んでいる
蓄電池システム。
【請求項５】
請求の範囲１乃至４のいずれかに記載された蓄電池システムであって、
更に、
前記各二次電池パックに対応して設けられ、前記各二次電池パックの現在の状態を検出する現在状態検出部、
を具備し、
前記電池情報は、前記各二次電池パックの現在の状態を示す現在情報を含んでおり、
前記現在状態検出部は、検出した現在の状態を前記現在情報として前記情報格納部に格納し、
前記監視装置は、前記現在情報に基づいて、前記複数の二次電池パック間で現在の状態を比較することにより、搭載が可能であるか否かを判断する
蓄電池システム。
【請求項６】
請求の範囲５に記載された蓄電池システムであって、
前記現在情報は、前記各二次電池パックの現在の充電容量と、現在の内部抵抗と、現在までの最高使用温度と、現在までの最低使用温度と、使用合計時間と、及び実績サイクル数の少なくとも一の情報を含んでいる
蓄電池システム。
【請求項７】
請求の範囲１乃至６のいずれかに記載された蓄電池システムであって、
前記監視装置は、前記複数の二次電池パック全体の両端に接続され、
前記監視装置は、前記監視装置と前記複数の二次電池パックとで形成される閉回路を介して、前記電池情報を前記情報格納部から取得する
蓄電池システム。
【請求項８】
請求の範囲１乃至６のいずれかに記載された蓄電池システムであって、
更に、
前記複数の二次電池パックの各々に取り付けられ、前記情報格納部に格納された前記電池情報を無線により前記監視装置に送信する無線部、
を具備し、
前記監視装置は、無線により送られてくる前記電池情報を受信する無線受信部を備える
蓄電池システム。
【請求項９】
複数の二次電池パックから、前記複数の二次電池パックの各々に関する電池情報を取得する電池情報取得部と、
取得した前記電池情報に基づいて、蓄電池システムへの搭載が可能であるか否かを判断する電池識別部と、
を具備する
蓄電池監視装置。
【請求項１０】
請求の範囲９に記載された蓄電池監視装置であって、
更に、
前記電池情報には、前記各二次電池パックの現在の状態を示す現在情報が含まれており、
前記電池識別部は、前記現在情報に基づいて、前記複数の二次電池パックの現在の状態を比較することにより、蓄電池システムへの搭載が可能であるか否かを判断する
蓄電池監視装置。
【請求項１１】
移動体に搭載される二次電池パックであって、
少なくとも一の単電池と、
前記単電池に関する電池情報を格納する情報格納部と、
を具備し、
蓄電池システムに取り付けられたときに、前記電池情報は、蓄電池システムの監視装置に送信される
二次電池パック。
【請求項１２】
複数の二次電池パックから、前記複数の二次電池パックの各々に関する電池情報を取得するステップと、
取得した前記電池情報に基づいて、蓄電池システムへの搭載が可能であるか否かを判断するステップと、
を具備する
蓄電池監視方法。
【請求項１３】
請求の範囲１２に記載された蓄電池監視方法であって、
前記電池情報には、前記各二次電池パックの現在の状態を示す現在情報が含まれており、
前記判断するステップは、前記現在情報に基づいて、前記複数の二次電池パック間で現在の状態を比較することにより、蓄電池システムへの搭載が可能であるか否かを判断するステップを含んでいる
蓄電池監視方法。
【発明の詳細な説明】
【技術分野】
【０００１】
本発明は、蓄電池システム、蓄電池監視装置、及び蓄電池監視方法に関する。
【背景技術】
【０００２】
電気自動車（ＥＶ；Ｅｌｅｃｔｒｉｃ  Ｖｅｈｉｃｌｅｓ）や電動フォークリフトなどの移動体の電源、あるいは電力貯蔵装置などの定置用の電源として、充電可能な二次電池を用いた蓄電池システムが用いられる。その蓄電池システムにおいては、通常、電気的に接続された複数の電池が用いられる。【０００３】
電気的に接続された複数の電池の各々に対し、同じ電力で充放電を行う場合、各電池の間で特性（例えば、充電容量）が異なっていると、過充電又は過放電となってしまう電池が発生することがある。【０００４】
関連して、特開２００３−２１７５３４号公報には、複数の単電池の初期状態や電池性能が異なっていても、各単電池が最適な状態に充電され、電池寿命や信頼性を向上させることができる電池パックを提供するための技術が記載されている。この特許文献１には、充電可能な複数の単電池とその複数の単電池と同数の充電制御回路と、放電時に複数の単電池を直列に接続可能とし充電時に複数の単電池の各々を充電制御回路の各々に単独に接続可能とする複数のスイッチ回路を有する電池パック、が開示されている。
【発明の開示】
【０００５】
ＥＶなどの移動体に搭載される蓄電池システムにおいては、複数の電池が、ユーザによって交換されることが考えられる。交換の際には、複数の電池の全てが一度に交換されることもあれば、複数の電池のうちのいくつかのみが交換されることもある。
【０００６】
複数の電池のうちのいくつかが交換される場合、新しく取り付けられた電池の特性が、交換されずに残った電池の特性と同じであれば問題ない。しかし、異なっていれば、既述のように過充電又は過放電となってしまう電池が発生する可能性がある。ユーザにとって、電池交換前に、新しく取り付ける電池の特性が、他の電池の特性と適合するか否かを識別することは難しい。
【０００７】
従って、本発明の目的は、電池が蓄電池システムに搭載可能であるか否かを識別することのできる、蓄電池システム、蓄電池監視装置、及び蓄電池監視方法を提供することにある。
【０００８】
本発明の蓄電池システムは、移動体に搭載される複数の二次電池パックと、複数の二次電池パックの各々に取り付けられ、各二次電池パックに関する電池情報を格納する情報格納部と、情報格納部に格納された電池情報に基づいて、蓄電池システムへの搭載が可能か、あるいは複数の二次電池パックの組み合わせが適性であるか否かを判断する監視装置とを具備する。
この発明によれば、新たに搭載しようとする二次電池パックの仕様が適正であるか否かが監視装置により判断されるので、誤った二次電池パックが使用されることが防止される。複数の二次電池パックの組み合わせが適正であるか否かが監視装置により判断されるので、異なる特性の二次電池パック同士を組み合わせて使用してしまうことが防止される。これにより、過充電又は過放電となってしまう二次電池パックが発生することが防止される。
【０００９】
本発明の蓄電池システムは、搭載可能な二次電池パックの仕様範囲を示すシステム規格情報を記憶する記憶部を具備する。また、情報格納部に、電池情報として、各二次電池パックの仕様を示す仕様情報が格納されている。とき、監視装置は、複数の二次電池パックの仕様をそのシステム規格情報と比較することにより、搭載可能であるか否かを判断することが好ましい。
【００１０】
その仕様情報は、適正な電圧範囲(充電上限電圧、放電下限電圧)、適正な電流範囲(充電最大電流、放電最大電流)、容量範囲、入出力範囲、温度範囲及び抵抗値の範囲のうちの少なくとも一つの情報を含んでいることが好ましい。
【００１１】
本発明の蓄電池システムは、更に、各二次電池パックに対応して設けられ、各二次電池パックの現在の状態を検出する現在状態検出部を具備してもよい。このとき、電池情報は、各二次電池パックの現在の状態を示す現在情報を含んでいてもよい。また、現在状態検出部は、検出した現在の状態を現在情報として情報格納部に格納してもよい。このとき、監視装置は、現在情報に基づいて、複数の二次電池パックの現在の状態を比較することにより、搭載可能であるか否かを判断することが好ましい。
【００１２】
その現在情報は、各二次電池パックの現在の充電容量と、現在の内部抵抗と、充放電サイクル数とのうちの少なくとも一の情報を含んでいることが好ましい。
【００１３】
監視装置は、複数の二次電池パック全体の両端に接続され、監視装置と複数の二次電池パックとで形成される閉回路を介して、電池情報を情報格納部から取得することが好ましい。
【００１４】
本発明の蓄電池システムは、更に、複数の二次電池パックの各々に取り付けられ、情報格納部に格納された電池情報を無線により監視装置に送信する、無線部を具備することができる。このとき、監視装置は、無線により送られてくる電池情報を受信する無線受信部を備えることが好ましい。
【００１５】
本発明の蓄電池監視装置は、複数の二次電池パックから、複数の二次電池パックの各々に関する電池情報を取得する電池情報取得部と、取得した電池情報に基づいて、搭載可能であるか否かを判断する電池識別部と、を具備する。
【００１６】
本発明の二次電池パックは、移動体や電力貯蔵装置に搭載される二次電池パックである。この二次電池パックは、少なくとも一の単電池と、単電池に関する電池情報を格納する情報格納部と、を具備する。電池情報は、蓄電池システムに取り付けられたときに、蓄電池システムの監視装置に送信される。
【００１７】
本発明の蓄電池監視方法は、複数の二次電池パックから、複数の二次電池パックの各々に関する電池情報を取得するステップと、取得した電池情報に基づいて、複数の二次電池パックの組み合わせが適正であるか否かを判断することにより、搭載可能であるか否かを判断するステップと、を具備する。
【００１８】
その電池情報には、各二次電池パックの現在の状態を示す現在情報が含まれており、判断するステップは、現在情報に基づいて、複数の二次電池パックの現在の状態を比較することにより、搭載可能であるか否かを判断するステップを含んでいることが好ましい。
【００１９】
本発明によれば、蓄電池システム中の複数の単電池の各々が使用可能であるか否かを識別することのできる、蓄電池システム、蓄電池監視装置、及び蓄電池監視方法が提供される。
【図面の簡単な説明】
【００２０】
【図１】図１は、第１の実施形態に係る蓄電池システムを示す概略構成図である。
【図２Ａ】図２Ａは、電池情報の概念図である。
【図２Ｂ】図２Ｂは、電池情報の概念図である。
【図３】図３は、バッテリモニタリングユニットの概略構成図である。
【図４】図４は、第２の実施形態に係る蓄電池システムを示す概略構成図である。
【図５】図５は、第３の実施形態に係る蓄電池システムを示す概略構成図である。
【発明を実施するための最良の形態】
【００２１】
（第１の実施形態）
図面を参照しつつ、本発明の実施形態について説明する。図１は、本実施形態に係る蓄電池システムの概略構成図である。尚、図示していないが、この蓄電池システムは、ＥＶやバッテリーフォークなどに駆動用電源として搭載されているものとする。【００２２】
図１に示されるように、蓄電池システムは、複数の二次電池パック（１−１〜１−ｎ）と、バッテリーモニタリングユニット２（以下、ＢＭＵと記載する）とを備えている。複数の二次電池パック（１−１〜１−ｎ）の各々は、蓄電池システムに対して着脱自在に取り付けられている。蓄電池システムに取り付けられた状態で、複数の二次電池パック（１−１〜１−ｎ）は電気的に直列に接続され、ＥＶの駆動源などとなる負荷に接続される。ＢＭＵ２は、複数の二次電池パック（１−１）の状態を監視する目的で取り付けられており、複数の二次電池パック（１−１〜１−ｎ）全体のプラス側端子とマイナス側端子とに、接続されている。これにより、ＢＭＵ２と複数の二次電池パック（１−１〜１−ｎ）とによって閉回路３が形成されている。【００２３】
各二次電池パック１は、少なくとも一つ以上の充放電可能な単電池１０を有している。単電池１０としては、例えば、リチウムイオン電池が挙げられる。各二次電池パック１は、電池交換を行う際に取り替えることのできる最小単位であるものとする。図１に示す例では、一つの二次電池パック１の中に一つの単電池１０が含まれている。しかし、一つの二次電池パック１中に複数の単電池１０が含まれていてもよい。つまり、二次電池パック１に含まれる電池群は、複数の電池を接続した最小単位であって、単電池のみであってもよい。【００２４】
各二次電池パック１には、ＩＣメモリ４（情報格納部）及び現在状態検出部５が取り付けられている。【００２５】
ＩＣメモリ４には、各二次電池パック１に関する情報である電池情報が格納されている。ＩＣメモリ４は、各二次電池パック１が蓄電池システムに取り付けられたときに、閉回路３と接続される。ＩＣメモリ４は、閉回路３を介して読み出し信号を受信すると、閉回路３を介してＢＭＵ２に電池情報を送信する。【００２６】
図２Ａ及び図２Ｂは、電池情報の内容を示す概念図である。電池情報には、仕様情報と現在情報とが含まれている。図２Ａは仕様情報を示し、図２Ｂは現在情報を示している。【００２７】
仕様情報は、各二次電池パック１の仕様を示す情報である。具体的には、仕様情報は、図２Ａに示されるように、適正な充電電圧範囲(充電上限電圧、充電下限電圧)、適正な放電電圧範囲（放電上限電圧、放電下限電圧）、適正な充電電流範囲（充電上限電流、充電下限電流）、適正な放電電流範囲（放電上限電流、放電下限電流）、容量範囲、入出力範囲、温度範囲、及び抵抗値の範囲の少なくとも一つの情報を含んでいる。尚、入出力範囲は、入力時（充電時）に許容される電力範囲と、出力時（放電時）に許容される電力範囲とを示す情報である。このような仕様情報は、各二次電池パック１の製造時に、ＩＣメモリ４に不揮発的に書き込まれる。【００２８】
図２Ｂに示される現在情報は、各二次電池パック１の現在の状態を示す情報である。具体的には、現在情報は、現在の充電容量、現在の内部抵抗値、現在までの最高使用温度、現在までの最低使用温度、使用合計時間、及び実績サイクル数の少なくとも一つの情報を含んでいる。「現在までの最高使用温度」は、使用時（充放電時）における最高温度を示しており、この二次電池パック１が製造されてから現在に至るまでの最高温度を示している。「現在までの最低使用温度」は、使用時（充放電時）における最低温度を示しており、この二次電池パック１が製造されてから現在に至るまでの最低温度を示している。「使用合計時間」は、この二次電池パック１が充放電された時間の合計を示す情報である。「実績サイクル数」は、この二次電池パック１が製造されてから充放電が繰り返された回数を示す情報である。現在情報は、現在状態検出部５によってＩＣメモリ４に書き込まれる。【００２９】
現在状態検出部５は、例えば定期的に、単電池１０の現在状態を検出し、検出した結果を現在情報としてＩＣメモリ４に書き込む機能を有している。また、現在状態検出部５は、単電池１０に対して充放電の行われた回数をカウントし、実績サイクル数としてＩＣメモリ４に格納する機能も有している。【００３０】
現在状態検出部５による現在状態の検出方法は特に限定されない。
例えば、「現在の充電容量」及び「現在の内部抵抗値」は、単電池１０の電圧が充電容量に依存することを利用して検出される。この場合、現在状態検出部５に、単電池１０の電圧を測定する電圧センサと、電圧と充電容量との対応関係を予め記憶した電圧−充電容量記憶部とが設けられていればよい。電圧センサによって実測された単電池１０の電圧値を元に、電圧−充電容量記憶部を参照することで、現在の充電容量を検出することができる。
また、電流値を積算することでも、「現在の充電容量」を検出することができる。この場合、現在状態検出部５に、単電池１０を流れる電流を測定する電流計が設けられていればよい。
また、現在の内部抵抗値については、例えば、単電池１０に対する電流計と電圧計とを設けておき、電流値と電圧値を測定することで検出することができる。
また、現在までの最高使用温度及び現在までの最低使用温度は、例えば、単電池１０に対する温度計を設けることにより、測定することができる。
また、使用合計時間は、単電池１０にタイマー機能を有するタイマー装置を取り付けておくことにより、測定することができる。
また、実績サイクル数のカウント方法も特に限定されず、例えば、充電容量の変化を元に、カウントすることができる。【００３１】
続いて、ＢＭＵ２について説明する。図３は、ＢＭＵ２の機能構成を示す概略図である。ＢＭＵ２は、複数の二次電池パック１の動作を監視する目的に加え、二次電池パックを蓄電池システムに搭載することができるか否かを判断する為に取り付けられている。ＢＭＵ２は、複数の二次電池の組み合わせが適正であるか否かを識別することにより、取り付けられた二次電池パックが蓄電池システムに搭載可能であるか否かを判断する。ＢＭＵ２は、ＣＰＵ２１と、ＲＯＭ２２と、電池情報取得部２３と、ＲＡＭ２４と、システム規格情報を記憶する記憶部２５を備えている。これらは、バスラインを介して互いに接続されている。【００３２】
記憶部２５は、ハードディスクなどに例示される。記憶部２５に記憶されるシステム規格情報は、取り付け可能な二次電池パックの仕様範囲（以下、適正使用範囲）を示す情報である。適正仕様範囲は、充電電圧範囲、放電電圧範囲、充電電流範囲、放電電流範囲、容量範囲、入出力範囲、温度範囲、及び抵抗値の範囲の少なくとも一つについて示される。【００３３】
記憶部２５は、蓄電池システム側に設けられていればよく、必ずしもＢＭＵ内に設けられている必要はない。【００３４】
電池情報取得部２３は、閉回路３に接続されており、例えばある位置の二次電池パック１が交換された際などに、閉回路３を介して各二次電池パック１のＩＣメモリ４に読み出し用信号を送信する。そして、読み出し信号に応答してＩＣメモリ４から電池情報が送信されてくると、閉回路３を介してこれを受信し、ＲＡＭ２４などに格納する。【００３５】
ＲＯＭ２２には、コンピュータプログラムとして、二次電池パック１の識別を行うための電池識別プログラムが格納されている。電池識別プログラムがＣＰＵ２１により実行されることで、各二次電池パック１の識別が行われる。【００３６】
電池情報識別プログラムにより、電池情報取得部２３により取得された電池情報が、システム規格情報と比較される。具体的には、各二次電池パック１の仕様情報（図２Ａ参照）が、システム規格情報の適正仕様範囲と比較される。そして、各二次電池パック１の仕様が適正な範囲内であるか否かが判別される。システム規格情報で規定される適正使用範囲が、二次電池パック１の仕様情報に記載される仕様範囲を含んでいるのであれば、仕様の観点からは、その二次電池パックは適正な仕様であると判断される。全ての二次電池パック１が適正な仕様である場合、この蓄電池システムに取り付けられた複数の二次電池パック１は、適正な組み合わせであることになる。一方、システム規格情報で規定される適正使用範囲が、二次電池パック１の仕様範囲よりも狭い場合には、その二次電池パック１は適正な仕様ではないと判断される。【００３７】
上述のような判断が行われることにより、異なる仕様の二次電池パック同士が組み合わされることが防止される。
例えば、複数の二次電池パック１の中に「充電上限電圧」の異なる二次電池パック１同士が含まれている場合、「充電上限電圧」の高い方の二次電池パック１に合わせて複数の二次電池パック１を充電すると、「充電上限電圧」の低い方の二次電池パック１が過充電となってしまう。
また、「放電下限電圧」の異なる二次電池パック１同士が含まれている場合、「放電下限電圧」の低い方の二次電池パック１に合わせて複数の二次電池パック１の放電を行うと、「放電下限電圧」の高い方の二次電池パック１は過放電となってしまう。
また、「放電最大電流」の異なる二次電池パック１同士が含まれている場合、放電時における電流値の大きさは、「放電最大電流」の小さい二次電池パック１にあわせるしかない。従って、「放電最大電流」の大きい二次電池パック１の特性を十分に引き出すことができない。
また、「充電最大電流」の異なる二次電池パック１同士が含まれている場合、充電時における電流値の大きさは、「充電最大電流」の小さい二次電池パック１にあわせるしかない。従って、「充電最大電流」の大きい二次電池パック１の特性を十分に引き出すことができない。
また、「容量範囲」の異なる二次電池パック１同士が含まれている場合、「容量範囲」の大きい二次電池パック１を満充電になるまで充電すると、少ない方の二次電池パック１は過充電となってしまう。
また、「抵抗値の範囲」の異なる二次電池パック１同士が含まれている場合、各二次電池パック１の電圧を均一に揃えることができず、結果として全ての二次電池パック１の電圧が同じ値になるまで充電を行うことができない。
これに対して、本実施形態では、システム規格情報で規定される適正使用範囲が二次電池パック１の電池の仕様範囲よりも狭い場合に、その二次電池パックが使用不可能であると判断される。従って、システム規格情報で規定される適正使用範囲外の電池が一つでも搭載されていれば、システムが作動せず、不具合は発生しない。【００３８】
全ての二次電池パック１に関して仕様が適正であった場合でも、更に、電池情報識別プログラムにより、複数の二次電池パック１間で現在情報同士が比較される。比較の結果、複数の二次電池パック１における現在状態の差が、予め設定された所定の範囲内である場合には、この複数の二次電池パック１の組み合わせが適正であると判断する。一方、その差が所定の範囲から外れている二次電池パック１同士が存在する場合には、この組み合わせは適正でないと判断する。具体的には、「現在の充電容量」、「現在の内部抵抗値」、「現在までの最高使用温度」、「現在までの最低使用温度」、「実績使用時間」、及び「実績サイクル数」のうちの少なくとも一つについて、複数の二次電池パック１間の差が所定の範囲内に納まっているか否かを判断する。【００３９】
電池情報識別プログラムは、複数の二次電池パック１の組み合わせが適正ではないと判断した場合に、音声アラームや表示装置に例示される警告装置（図示せず）を起動させてユーザに使用できない組み合わせである旨を通知する。また、図示しない遮断装置を用いて蓄電池システムが作動しないようにする。【００４０】
本実施形態によれば、ＢＭＵ２によって、複数の二次電池パック１の仕様が適正であるか否かが判断される。これにより、取り付けられた二次電池パック１が搭載可能であるか否かが判断される。従って、ユーザが誤って異なる仕様の二次電池パック同士を組み合わせて使用してしまうことを防止できる。【００４１】
また、二次電池は、充放電が繰り返されると、劣化することがある。劣化状態が異なると、同じ仕様の二次電池パック１同士であっても、充電容量及び内部抵抗値が異なってくることがある。充電容量や内部抵抗値が異なっている二次電池パック１同士が存在していると、充放電時に単電池１０が過放電又は過充電となってしまう可能性がある。
これに対して、本実施形態によれば、複数の二次電池パック１間で現在状態同士が比較され、現在状態が異なる二次電池パック同士が組み合わされているときには、使用できないと判断される。よって、異なる劣化状態の二次電池パック１同士が組み合わされて使用されることが防止される。これにより、充放電時に過放電又は過充電となってしまう二次電池パックが発生することを、より確実に防止することができる。【００４２】
また、本実施形態では、現在状態検出部５が各二次電池パック１側に取り付けられている場合について説明した。しかし、現在状態検出部５は、必ずしも各二次電池パック１に取り付けられている必要はなく、蓄電池システムの本体側に取り付けられていてもよい。この場合、現在状態検出部５は、各二次電池パック１が蓄電池システムに取り付けられた際に、各二次電池パック１の現在の状態を検出できるように配置されていればよい。このような構成としても、本実施形態で述べたのと同様の作用を奏することができる。【００４３】
また、本実施形態では、電池情報が、複数の二次電池パック１とＢＭＵ２とで形成される閉回路３を介してＢＭＵ２に送信される場合について説明した。但し、電池情報は、必ずしも閉回路３を介してＢＭＵ２に送られる必要はない。
例えば、閉回路３とは別に通信用の配線を蓄電池システム本体側に設けておき、蓄電池システムに各二次電池パック１が取り付けられた際に、ＩＣメモリ４がその通信用の配線によりＢＭＵ２と接続されてもよい。このとき、電池情報は、その通信用の配線を介してＢＭＵ２に送信される。このような構成としても、本実施形態で述べたのと同様の作用を奏することができる。【００４４】
また、各二次電池パック１のＩＣメモリ４には、各二次電池パック１が蓄電池システムのどこに取り付けられているのかを示すアドレス情報が含まれていてもよい。このようなアドレス情報が含まれていれば、電池情報識別プログラムが、アドレス情報に基づいて、複数の二次電池パック１のうちのどの二次電池パック１が使用できないかを特定することができる。そして、ユーザにどの二次電池パック１が使用できないのかを通知するように構成することができる。
アドレス情報をＩＣメモリ４に格納する場合の構成として、例えば、蓄電池システム本体側に、アドレス情報を書き込むための書き込む部を設けておくことが考えられる。その書き込み部は、各二次電池パック１が取り付けられた際に、アドレス情報を無線または有線によりＩＣメモリ４に書き込むように構成される。【００４５】
（第２の実施形態）
続いて、本発明の第２の実施形態について説明する。図４は、本実施形態の蓄電池システムの構成を示す概略図である。本実施形態では、第１の実施形態と比較して、各二次電池パック１に対応して設けられた無線部６が追加され、ＢＭＵ２の電池情報取得部２３の機能が工夫されている。その他の点については、第１の実施形態と同様とすることができるので、詳細な説明は省略する。尚、図４において、ＢＭＵ２の構成は、電池情報取得部２３以外の構成についての図示は省略されている。【００４６】
図４に示されるように、複数の二次電池パック（１−１〜１−ｎ）のうち、二次電池パック１−２が交換されるものとする。尚、二次電池パック１−２以外の各二次電池パック１については、内部構成の図示は省略されている。【００４７】
二次電池パック１−２には、無線部６−２が設けられている。無線部６−２はＩＣメモリ４−２に接続されており、ＩＣメモリ４−２に格納された電池情報を無線信号によってＢＭＵ２に送信する。一方、ＢＭＵ２側では、電池情報取得部２３が、無線部６−２から送信されてきた電池情報を受信するように構成されている。【００４８】
電池情報が無線信号によりＢＭＵ２に送られることにより、ユーザは、二次電池パック１−２を蓄電池システムに取り付けなくとも、二次電池パック１−２を使用できるかどうかを識別することができる。例えば、ＥＶ車両に搭載される蓄電池システムの場合、ユーザは車両の近傍に二次電池パック１を置くだけで、その二次電池パック１が使用可能か否かを知ることができる。【００４９】
（第３の実施形態）
続いて、第３の実施形態について説明する。図５は、本実施形態の蓄電池システムを示す概略構成図である。本実施形態では、第２の実施形態と比較して、診断装置７が更に追加されている。その他の点については、第２の実施形態と同様とすることができるので、詳細な説明は省略する。【００５０】
図５に示されるように、診断装置７は、無線部７４と、ＣＰＵ７１と、ＲＡＭ７３と、ＲＯＭ７２とを備えている。これらは互いにバスラインを介して接続されている。ＲＯＭ７２には、診断プログラムが格納されている。診断プログラムはＣＰＵ７１により読み出されて実行される。【００５１】
無線部７４は、各二次電池パック１の無線部６と無線による通信を行う。無線部７４は、無線部６より各二次電池パック１の電池情報を無線信号により受信し、ＲＡＭ７３に格納する。【００５２】
診断プログラムは、無線部７４により取得された電池情報に基づいて、最適な電池交換時期及び最適な交換電池仕様を診断する。【００５３】
電池交換時期は、例えば、電池情報のうちの現在情報に基づいて決定することができる。より具体的な例としては、予めＲＡＭ７３などに格納された実績サイクル数の上限に基づいて、各二次電池パック１の単電池１０をあと何回充放電できるかを算出し、算出した回数に基づいて電池交換時期を算出することができる。【００５４】
交換電池仕様は、例えば、取り替えられる二次電池パック１が指定されたときに、残される二次電池パック１の電池情報に基づいて決定される。例えば、無線部７４が各二次電池パック１より、電池情報として、「充電上限電圧」、「充電下限電圧」、「最大充電電流」、「内部抵抗」、「現在の充電容量」、「現在の内部抵抗値」、及び「実績サイクル数」を取得したとする。診断プログラム７２は、これらの各項目について、蓄電池システム内に残される二次電池パック１における平均値を求め、求めた平均値を交換電池仕様に決定する。【００５５】
診断プログラムによる診断結果は、図示しない出力装置（例えば、表示装置）により出力され、ユーザに通知される。【００５６】
本実施形態によれば、各二次電池パック１をあとどれくらい使用できるかを示す電池交換時期がユーザに通知される。ユーザは、電池交換時期を参照することで、新しい二次電池パック１を用意することができる。また、交換電池仕様がユーザに通知されることにより、ユーザは複数の二次電池パック１の組み合わせに適合するように、最適な仕様の二次電池パック１を用意することができる。【００５７】
尚、本実施形態では、診断装置７が、ＢＭＵ２とは別に用意される場合について説明した。但し、診断プログラムは、ＢＭＵ２のＲＯＭ２２に格納されていて、ＢＭＵ２によって電池交換時期や交換電池仕様の診断が行われていてもよい。この場合、ＢＭＵ２が診断装置７としての機能を果たすことになる。
【図１】
2010007681.tif 000003
【図２Ａ】
2010007681.tif 000004
【図２Ｂ】
2010007681.tif 000005
【図３】
2010007681.tif 000006
【図４】
2010007681.tif 000007
【図５】
2010007681.tif 000008
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
複数の二次電池パックと、
前記複数の二次電池パックの各々に取り付けられ、前記各二次電池パックに関する電池情報を格納する情報格納部と、
前記電池情報に基づいて、前記各二次電池パックが蓄電池システムに搭載可能であるか否かを判断する監視装置と、
を具備し、
前記監視装置は、前記複数の二次電池パックの組み合わせが適正であるか否かを判断することにより、搭載が可能であるか否かを判断する
蓄電池システム。
【請求項２】
（削除）
【請求項３】
請求の範囲１に記載された蓄電池システムであって、
更に、
搭載可能な二次電池パックの仕様範囲を示すシステム規格情報を記憶する記憶部
を具備し、
前記情報格納部には、前記電池情報として、前記各二次電池パックの仕様を示す仕様情報が格納されており、
前記監視装置は、前記複数の二次電池パックの仕様情報を前記システム規格情報と比較することにより、搭載が可能であるか否かを判断する
蓄電池システム。
【請求項４】
請求の範囲３に記載された蓄電池システムであって、
前記仕様情報は、適正な充電電圧範囲、適正な放電電圧範囲、適正な充電電流範囲、適正な放電電流範囲、容量範囲、入出力範囲、温度範囲、及び抵抗値の範囲のうちの少なくとも一つの情報を含んでいる
蓄電池システム。
【請求項５】
請求の範囲１、３、及び４のいずれかに記載された蓄電池システムであって、
更に、
前記各二次電池パックに対応して設けられ、前記各二次電池パックの現在の状態を検出する現在状態検出部、
を具備し、
前記電池情報は、前記各二次電池パックの現在の状態を示す現在情報を含んでおり、
前記現在状態検出部は、検出した現在の状態を前記現在情報として前記情報格納部に格納し、
前記監視装置は、前記現在情報に基づいて、前記複数の二次電池パック間で現在の状態を比較することにより、搭載が可能であるか否かを判断する
蓄電池システム。
【請求項６】
請求の範囲５に記載された蓄電池システムであって、
前記現在情報は、前記各二次電池パックの現在の充電容量と、現在の内部抵抗と、現在までの最高使用温度と、現在までの最低使用温度と、使用合計時間と、及び実績サイクル数の少なくとも一の情報を含んでいる
蓄電池システム。
【請求項７】
請求の範囲１、３乃至６のいずれかに記載された蓄電池システムであって、
前記監視装置は、前記複数の二次電池パック全体の両端に接続され、
前記監視装置は、前記監視装置と前記複数の二次電池パックとで形成される閉回路を介して、前記電池情報を前記情報格納部から取得する
蓄電池システム。
【請求項８】
請求の範囲１、３乃至６のいずれかに記載された蓄電池システムであって、
更に、
前記複数の二次電池パックの各々に取り付けられ、前記情報格納部に格納された前記電池情報を無線により前記監視装置に送信する無線部、
を具備し、
前記監視装置は、無線により送られてくる前記電池情報を受信する無線受信部を備える
蓄電池システム。
【請求項９】
複数の二次電池パックから、前記複数の二次電池パックの各々に関する電池情報を取得する電池情報取得部と、
取得した前記電池情報に基づいて、蓄電池システムへの搭載が可能であるか否かを判断する電池識別部と、
を具備する
蓄電池監視装置。
【請求項１０】
請求の範囲９に記載された蓄電池監視装置であって、
更に、
前記電池情報には、前記各二次電池パックの現在の状態を示す現在情報が含まれており、
前記電池識別部は、前記現在情報に基づいて、前記複数の二次電池パックの現在の状態を比較することにより、蓄電池システムへの搭載が可能であるか否かを判断する
蓄電池監視装置。
【請求項１１】
移動体に搭載される二次電池パックであって、
少なくとも一の単電池と、
前記単電池に関する電池情報を格納する情報格納部と、
を具備し、
蓄電池システムに取り付けられたときに、前記電池情報は、蓄電池システムの監視装置に送信され、
前記監視装置は、前記複数の二次電池パックの組み合わせが適正であるか否かを判断することにより、搭載が可能であるか否かを判断する
二次電池パック。
【請求項１２】
複数の二次電池パックから、前記複数の二次電池パックの各々に関する電池情報を取得するステップと、
取得した前記電池情報に基づいて、蓄電池システムへの搭載が可能であるか否かを判断するステップと、
を具備する
蓄電池監視方法。
【請求項１３】
請求の範囲１２に記載された蓄電池監視方法であって、
前記電池情報には、前記各二次電池パックの現在の状態を示す現在情報が含まれており、
前記判断するステップは、前記現在情報に基づいて、前記複数の二次電池パック間で現在の状態を比較することにより、蓄電池システムへの搭載が可能であるか否かを判断するステップを含んでいる
蓄電池監視方法。
【国際調査報告】
2010007681.tif 000009
2010007681.tif 000010
2010007681.tif 000011
2010007681.tif 000012